(57)【特許請求の範囲】
【請求項１】
内容物が受容され、内部に内容物の使用により上昇するピストンが備えられる容器本体と、
前記容器本体の上部に結合し、前記容器本体に受容された内容物が流入するように下端中央部に内容物流入ホールが形成された内容物流入部が備えられて、外周縁に沿って多数の垂直ガイド溝が一定間隔離隔して形成されるハウジングと、
前記ハウジングの上部に回転できるように結合され、内周面を覆って上下に交互に屈曲部を形成する回転ガイドが備えられて、上端に内容物が吐出される吐出口が形成されるボタン部と、
前記ボタン部の回転により上下動し、外周面に前記垂直ガイド溝に挿入された状態で前記回転ガイドの下面に沿って移動して前記垂直ガイド溝内で上下動する多数のガイド突起が形成される上下動部材とを含み、
前記上下動部材の内側には、該上下動部材の移動により共に移動するピストンロッドが結合し、
前記ピストンロッドの下部には、前記内容物流入部の内周面を覆って密着し、前記ピストンロッドの上下動により、前記内容物流入部の内部の圧力を変化させて前記容器本体に受容された内容物が前記内容物流入部の内部へ流入する、または前記内容物流入部に流入した内容物が上部に移動するようにガイドするシールキャップが結合し、
前記ボタン部は、回転時に、高さが変化しない状態で、前記上下動部材の上下動を誘導して内容物を吐出させる
ことを特徴とする回転吐出式化粧品容器。
【請求項２】
請求項１において、
前記ハウジングに前記ボタン部を回転可能に結合させる結合リングを含んでいる
ことを特徴とする回転吐出式化粧品容器。
【請求項３】
請求項１において、
前記ボタン部の内側には前記吐出口を覆って下方向へ延長して前記上下動部材の垂直移動をガイドする結合管が備えられ、
前記上下動部材には、前記結合管に結合して該結合管の内壁に沿って上下動し、内容物が移動する通路を形成する内容物移動管が備えられている
ことを特徴とする回転吐出式化粧品容器。
【請求項４】
請求項１において、
前記吐出口には、内容物の吐出の際に開放されるノズルチップが結合され、該吐出口の内周面には、前記ノズルチップを支持するように、多数の支持突起が一定間隔離隔して突出形成されてノズルチップ結合ホールを形成している
ことを特徴とする回転吐出式化粧品容器。
【請求項５】
請求項４において、
前記ノズルチップは、前記吐出口の上端を覆う開閉板と、前記開閉板の中央部で下部へ延長形成され、前記ノズルチップ結合ホールに結合して前記開閉板を支持する支持台とで構成され、
前記支持台の下部には、前記ノズルチップが上方向へ移動して前記吐出口から脱離することを防ぐように外周面を覆う固定段が形成されている
ことを特徴とする回転吐出式化粧品容器。
【請求項６】
請求項５において、
前記固定段の上端部は、前記支持突起の下端から離隔し、内容物の吐出の際に、該内容物の圧力により上部へ移動して前記支持突起の下端に当接するように構成されている
ことを特徴とする回転吐出式化粧品容器。
【発明の詳細な説明】
【技術分野】
【０００１】
本発明は、回転吐出式化粧品容器に関するものであり、より詳細には、ボタン部の回転の際、ボタン部の内周面に形成されたポンピングガイドの下面に沿ってガイド突起が移動して上下動部材が上下動してポンピング作用が行われるように構成することで、ボタン部の高さが変化しない固定状態で内容物の排出が行われる為、外部圧力によりボタンが加圧されても不要に内容物の流出を防ぐことができる回転吐出式化粧品容器に関するものである。
【背景技術】
【０００２】
一般的に、化粧品を吐出する機能を有する化粧品容器の場合、ＣＶ弁などの弁を押してポンピングする方式の構造を使用する。
【０００３】
しかし、このような従来の化粧品容器の構成の場合、吐出しようとする化粧品の粘度が高い場合には問題が発生する。即ち、粘度が高い化粧品を押し、ポンピングして吐出する為、比較的大きな力で押す必要があり、使用時に不便さがある。
【０００４】
なお、ポンピングした後、弁が元の位置に復帰する為、一般的にはポンプに内蔵される又は外部に配置されるスプリングの復元力を利用するが、化粧品の粘度が高い場合、このような弁の復帰過程が円滑ではないという問題があった。
【０００５】
一方、このような弁の復帰過程の問題を解決しようとスプリングの弾性を増加させる場合、化粧品を吐出する為、弁をポンピングするには前記スプリングの増加した弾性程度の力を加える必要があり、使用上の不便さが大きくなるという問題があった。
【０００６】
このような問題を解消する為、本出願人により韓国登録特許第１０−１２１９００９号が提案された。
【０００７】
前記登録特許は、回転環(140)を回転させると、ガイド突起(162)が、上下ガイド溝(123)により、側面方向の位置は保持された状態で上/下へ誘導されながら回転ガイド溝(141)に沿って下降することになり、これにより、ボタン(160)が下降しながら前記チェック弁(130)を押して内容物が吐出される構成となっていることが特徴である。
【０００８】
しかし、前記登録特許は、回転環(140)を回転する際にボタン(160)が上下動する構造であり、ボタン(160)の上下動の為、回転環(140)とボタン(160)間の離隔空間が発生して、ボタン(160)の上下動の際、ボタン(160)の揺れが発生することのみならず、離隔空間を通じて異物質が流入して固着されることで、ボタン(160)の作動が円滑ではないという問題があった。
【０００９】
また、カバンに携帯した状態で外部圧力によりボタン(160)が加圧される場合には、回転環(140)が回転することになり、不要に内容物が流出するという問題があった。
【発明の概要】
【発明が解決しようとする課題】
【００１０】
本発明は、前述した問題を解決しようと案出されたものであり、本発明の目的は、ボタン部の回転の際、ボタン部の内周面に形成されたポンピングガイドの下面に沿ってガイド突起が移動して上下動部材が上下動してポンピング作用が行われるように構成することで、ボタン部の高さが変化しない固定状態で内容物の排出が行われる為、外部圧力によりボタンが加圧されても内容物の不要な流出を防ぐことができる回転吐出式化粧品容器を提供するものである。
【課題を解決するための手段】
【００１１】
前記のような問題を解決する為、本発明に係る回転吐出式化粧品容器は、内容物が受容され、内部に内容物の使用により上昇するピストンが備えられる容器本体と、前記容器本体の上部に結合し、前記容器本体に受容された内容物が流入するように下端中央部に内容物流入ホールが形成された内容物流入部が備えられて、外周縁に沿って多数の垂直ガイド溝が一定間隔離隔して形成されるハウジングと、前記ハウジングの上部に回転できるように結合され、内周面を覆って上下に交互に屈曲部を形成する回転ガイドが備えられて、上端に内容物が吐出される吐出口が形成されるボタン部と、前記ボタン部の回転により上下動し、外周面に前記垂直ガイド溝に挿入された状態で前記回転ガイドの下面に沿って移動して前記垂直ガイド溝内で上下動する多数のガイド突起が形成される上下動部材とを含んでいることを特徴とする。
【００１２】
なお、前記上下動部材の内側には、上下動部材の移動により、共に移動するピストンロッドが結合し、前記ピストンロッドの下部には、前記内容物流入部の内周面を覆って密着し、前記ピストンロッドの上下動により前記内容物流入部内部の圧力を変化させて前記容器本体に受容された内容物が内容物流入部の内部へ流入するようにガイドするシールキャップが結合していることを特徴とする。
【００１３】
なお、前記ハウジングにボタン部を回転可能に結合させる結合リングを含んでいることを特徴とする。
【００１４】
なお、前記ボタン部の内側には前記吐出口を覆って下方向へ延長して上下動部材の垂直移動をガイドする結合管が備えられて、前記上下動部材には前記結合管に結合して該結合管の内壁に沿って上下動し、内容物が移動する通路を形成する内容物移動管が備えられていることを特徴とする。
【００１５】
なお、前記吐出口には、内容物の吐出の際に開放されるノズルチップが結合され、該吐出口の内周面には、前記ノズルチップを支持するように、多数の支持突起が一定間隔離隔して突出形成されてノズルチップ結合ホールを形成していることを特徴とする。
【００１６】
なお、前記ノズルチップは、前記吐出口の上端を覆う開閉板と、前記開閉板の中央部で下部へ延長形成され、前記ノズルチップ結合ホールに結合して前記開閉板を支持する支持台とで構成され、前記支持台の下部には、前記ノズルチップが上方向へ移動して前記吐出口から脱離することを防ぐように外周面を覆う固定段が形成されていることを特徴とする。
【００１７】
なお、前記固定段の上端部は、前記支持突起の下端から離隔し、内容物の吐出の際に、該内容物の圧力により上部へ移動して前記支持突起の下端に当接するように構成されていることを特徴とする。
【発明の効果】
【００１８】
前述したように、本発明によると、ボタン部の回転の際、ボタン部の内周面に形成されたポンピングガイドの下面に沿ってガイド突起が移動して上下動部材が上下動してポンピング作用が行われるように構成することで、ボタン部の高さが変化しない固定状態で内容物の排出が行われる為、外部圧力によりボタンが加圧されても不要に内容物の流出を防ぐことができる長所を有する。
【００１９】
なお、内容物の吐出の際、ノズルチップが上方向へ若干移動して吐出口を先に開放した状態で開閉板により吐出方向が変更され、側面方向へ吐出が行われるように構成することで、内容物が突然に排出される現象を防ぐことができる長所を有する。
【図面の簡単な説明】
【００２０】
【図１】図１は、本発明の望ましい実施例に係る回転吐出式化粧品容器の構成を示す斜視図である。
【図２】図２は、本発明の望ましい実施例に係る回転吐出式化粧品容器の構成を示す断面図である。
【図３】図３は、本発明の望ましい実施例に係る回転吐出式化粧品容器のガイド突起が回転ガイドに沿って移動する状態を示す説明図である。
【図４】図４は、本発明の望ましい実施例に係る回転吐出式化粧品容器の作動状態を示す説明図である。
【発明を実施するための形態】
【００２１】
以下、図面を参照して本発明を詳細に説明する。各図面に提示された同様の参照符号は同様の部材を示す。
【００２２】
図１は、本発明の望ましい実施例に係る回転吐出式化粧品容器の構成を示す斜視図であり、図２は、本発明の望ましい実施例に係る回転吐出式化粧品容器の構成を示す断面図であり、図３は、本発明の望ましい実施例に係る回転吐出式化粧品容器のガイド突起が回転ガイドに沿って移動する状態を示す説明図である。
【００２３】
図１乃至３を参照すると、本発明の望ましい実施例に係る回転吐出式化粧品容器は、容器本体(100)と、ハウジング(200)と、ボタン部(300)と、上下動部材(400)とを含んでいる。
【００２４】
前記容器本体(100)は、内容物が受容されるものであり、内部には内容物の使用により上昇するピストン(110)が備えられている。
【００２５】
前記ハウジング(200)は、前記容器本体(100)の上部に結合し、上下動部材(400)の上下動によるポンピング作動によって前記容器本体(100)に受容された内容物を吸入するものであり、前記容器本体(100)に受容された内容物が流入するように下端中央部に内容物流入ホール(211)が形成された内容物流入部(210)が備えられている。
【００２６】
前記内容物流入ホール(211)には、ピストンロッド(430)およびシールキャップ(440)が内容物流入部(210)の内部で上下動する際に、内容物流入部(210)の内部に発生する圧力により内容物流入ホール(211)を開閉するチェック弁(212)が設置されている。
【００２７】
一方、本発明において、前記ハウジング(200)の外周縁には、後述するガイド突起(410)が挿入され、上/下へ誘導されるように長手方向に沿って垂直ガイド溝(220)が形成されていることが特徴であり、前記垂直ガイド溝(220)は、上下動部材(400)の安定的作動の為、図１に図示したように、約１２０°の間隔で３つ一定間隔離隔させて形成されることが望ましい。
【００２８】
本発明では、垂直ガイド溝(220)が約１２０°の間隔で３つ一定間隔離隔させて形成されるものを図示したが、簡単に両側に２つ形成するなど、多様な実施例が可能である。
【００２９】
一方、前記ハウジング(200)の外側には、ボタン部(300)を覆うオーバーキャップ(700)が脱着できるように結合されている。
【００３０】
前記ボタン部(300)は、前記ハウジング(200)の上部に回転できるように結合されるものであり、上端に内容物が吐出される吐出口(320)が形成されている。
【００３１】
前記吐出口(320)には、内容物の吐出の際に開放されるノズルチップ(600)が結合し、吐出口(320)の内周面には、前記ノズルチップ(600)を支持するように、多数の支持突起(321)が、一定間隔離隔して突出形成されてノズルチップ結合ホール(322)を形成している。前記多数の支持突起(321)は、一定間隔離隔された空間を通じて内容物が上方向へ移動することができるようにする。
【００３２】
前記ノズルチップ(600)は、普段、吐出口(320)を閉鎖した状態で設けられ、内容物の圧力により前記吐出口(320)を開放する原状の開閉板(610)と、前記開閉板(610)の下端中央部から延長形成され、前記ノズルチップ結合ホール(322)に結合して前記開閉板(610)を支持する支持台(620)とで構成され、前記支持台(620)の下部には、前記ノズルチップ(600)が上方向へ移動して吐出口(320)から脱離することを防ぐように外周面を覆う固定段(621)が形成されることが望ましい。
【００３３】
前記固定段(621)の上端部は、前記支持突起(321)の下端から離隔し、内容物の吐出の際に、該内容物の圧力により上部へ移動して前記支持突起(321)の下端に当接するように構成されている。これにより、開閉板(610)が、内容物の圧力によって上方向に覆されて内容物が吐出されるのではなく、ノズルチップ(600)が、支持突起(321)と固定段(621)の離隔空間ほどの小さな幅で上方向へ移動して吐出口(320)を開放した状態となり、上部へ移動する内容物が開閉板(610)によって側面方向へ吐出される為、内容物が突然に排出される現象を防ぐことができる。
【００３４】
なお、前記ノズルチップ(600)は、結合管(330)の内壁に密着して上下動する内容物移動管(420)の下降の際に、吐出口(320)を閉鎖することで、ボタン部(300)の上段に吐出された内容物が内容物移動管(420)に吸入されることを防ぐ。
【００３５】
一方、本発明において、前記ボタン部(300)の内側には、内周面を覆って上下に交互に屈曲部を形成する回転ガイド(310)が備えられることが特徴であり、前記回転ガイド(310)は、図３に図示されたように、ボタン部(300)の回転の際、該下端面に沿ってガイド突起(410)が移動するようにガイドすることになり、ガイド突起(410)の下降は、回転ガイド(310)の加圧により行われ、ガイド突起(410)の上昇は、スプリング(s)の弾性力により行われるように構成される。
【００３６】
一方、前記ボタン部(300)の内側には、前記吐出口(320)を覆って下方向へ延長される結合管(330)が備えられ、前記結合管(330)は、該結合管(330)の内壁に沿って移動する内容物移動管(420)の移動をガイドして、上下動部材(400)の上下動の際、捻れること無く垂直に移動するようにガイドすることになる。
【００３７】
一方、前記ボタン部(300)とハウジング(200)の間には、ボタン部(300)を回転可能に前記ハウジング(200)に結合させる結合リング(500)が備えられている。
【００３８】
前記上下動部材(400)は、前記ボタン部(300)の回転により上下動し、容器本体(100)に受容された内容物を吐出口(320)へ移動させる為のポンピング作用が行われるようにするものであり、該内側には上下動部材(400)の移動により共に移動するピストンロッド(430)が結合し、前記ピストンロッド(430)の下部には、前記内容物流入部(210)の内周面を覆って密着し、前記ピストンロッド(430)の上下動により前記内容物流入部(210)内部の圧力を変化させて前記容器本体(100)に受容された内容物が内容物流入部(210)の内部へ流入するようにガイドするシールキャップ(440)が結合される。
【００３９】
本発明において、前記上下動部材(400)の外周面は、前記垂直ガイド溝(220)に挿入された状態で前記回転ガイド(310)の下面に沿って移動して前記垂直ガイド溝(220)内から上下動する多数のガイド突起(410)が形成されることが特徴であり、前記ガイド突起(410)は、ボタン部(300)の回転の際、回転ガイド(310)の下面に加圧されて垂直ガイド溝(220)内から下方向へ移動することで、上下動部材(400)を下降させ、前記内容物流入部(210)の圧力変化により内容物流入部(210)へ流入された内容物が上部へ移動されることができるようにし、回転ガイド(310)による加圧が解除するとすぐ、交互に形成される屈曲部の下死点が終わる時点からはスプリング(s)の弾性により回転ガイド(310)の下面に沿って上昇し、垂直ガイド溝(220)内から上方向へ移動することで、上下動部材(400)を上昇させて前記内容物流入部(210)の圧力変化により容器本体(100)に受容された内容物が内容物流入部(210)に吸入されることができるようにする。
【００４０】
一方、前記上下動部材(400)には、前記結合管(330)に結合して結合管(330)の内壁に沿って上下動し、内容物が移動する通路を形成する内容物移動管(420)が備えられている。
【００４１】
以下では、図４を参照し、本発明の望ましい実施例に係る回転吐出式化粧品容器の作動状態を説明する。図４は、本発明の望ましい実施例に係る回転吐出式化粧品容器の作動状態を示す説明図である。
【００４２】
図４を参照すると、本発明の望ましい実施例に係る回転吐出式化粧品容器では、内容物流入部(210)の内部に内容物が流入した状態で、使用者がボタン部(300)を回転させると、ボタン部(300)の内側に形成された回転ガイド(310)に沿って上下動部材(400)のガイド突起(410)が移動することになり、この際、回転ガイド(310)の形状によりガイド突起(410)が垂直ガイド溝(220)内から下方向へ移動して上下動部材(400)を下降させる。
【００４３】
前記のように上下動部材(400)が下降すると、上下動部材(400)の内側に結合されたピストンロッド(430)およびシールキャップ(440)が共に下降することで内容物流入部(210)内部の圧力が変化し、内容物流入部(210)に流入した内容物が、内容物移動管(420)、吐出口(320)と通って吐出される。その際、内容物の吐出は、ノズルチップ(600)が支持突起(321)と固定段(621)の離隔空間ほどの小さい幅で上方向へ移動して吐出口(320)を開放した状態となり、上部へ移動する内容物が開閉板(610)により側面方向へ移動することにより、ボタン部(300)の上端において行われる。
【００４４】
本発明は、内容物が上方向へすぐ吐出されるのではなく、ノズルチップ(600)が上方向へ小さい幅で移動して吐出口(320)を先に開放した状態で、開閉板(610)により、内容物の吐出方向が変更されて側面方向へ吐出が行われるように構成することで、内容物が突然に排出される現象を防ぐことができる。
【００４５】
図面と明細書に最適実施例を開示した。これらにおいて、特定な用語を使用したが、これは本発明を説明する為の使用であり、意味限定もしくは特許請求の範囲で記載された本発明の範囲を制限する為の使用ではない。従って、本技術分野の通常知識を有する者であれば、この点から多様な変形および均等な他の実施例が可能であることを理解できる。従って、本発明の真の技術的保護範囲は、添付された特許請求の範囲の技術的思想により定められるべきである。
【図１】
0006420322.tif 000002
【図２】
0006420322.tif 000003
【図３】
0006420322.tif 000004
【図４】
0006420322.tif 000005